(57)【要約】【課題】街中に多数のＣＡＴＶ用増幅器が設置されているにもかかわらず、これらを利用して情報通信を行うといった考えはなかった。【解決手段】本発明のＣＡＴＶ伝送網を利用した情報通信方法は、下り空帯域を使って地域情報を含む信号をセンター局から伝送網上の増幅器に伝送し、伝送された信号を増幅器から空中に送出して携帯型受信端末で受信可能としたものである。本発明のＣＡＴＶ用増幅器は、入力された下り信号の一部を分岐し、分岐された下り信号から所定周波数の信号を分波し、分波された信号の周波数を携帯型受信端末が受信可能な周波数に変換し、周波数変換された信号を増幅し、増幅された信号を空中へ送出するための手段を設けたものである。【選択図】　　図２
2004023341.tif 000002
【特許請求の範囲】
【請求項１】
ＣＡＴＶ伝送網を利用して各種情報を提供するための情報通信方法であって、下り空帯域を使って地域情報を含む信号をセンター局から伝送網上の増幅器に伝送する工程と、増幅器が受信信号を増幅し、増幅された受信信号の周波数を携帯型受信端末が受信可能な周波数に変換して空中へ送出する工程とを有することを特徴とするＣＡＴＶ伝送網を利用した情報通信方法。
【請求項２】
ＣＡＴＶ伝送網を利用して各種情報を提供するための情報通信方法であって、下り空き帯域を使って地域情報を含む信号をセンター局から伝送網上の増幅器に伝送する工程と、増幅器が受信信号を増幅し、増幅された受信信号の周波数を携帯型受信端末が受信可能な周波数に変換して空中へ送出する工程と、携帯型受信端末から空中へ送出された信号を増幅器で受信する工程と、増幅器が受信信号を増幅し、増幅された受信信号を上り空帯域を使ってセンター局へ伝送する工程とを有することを特徴とするＣＡＴＶ伝送網を利用した情報通信方法。
【請求項３】
増幅器が受信信号の周波数を上り帯域の周波数に変換する工程を有することを特徴とする請求項２記載のＣＡＴＶ伝送網を利用した情報通信方法。
【請求項４】
入力された下り信号の一部を分岐する分岐手段と、分岐された下り信号から所定周波数の信号を分波する分波手段と、分波された信号の周波数を携帯型受信端末が受信可能な周波数に変換する周波数変換手段と、周波数変換された信号を増幅する増幅手段と、増幅された信号を空中へ送出する送信手段とを備えたことを特徴するＣＡＴＶ用増幅器。
【請求項５】
分波手段が分波する信号の周波数を設定する周波数設定手段を有することを特徴とする請求項４記載のＣＡＴＶ用増幅器。
【請求項６】
携帯型受信端末から送出された信号を受信可能な受信手段と、受信信号を上り信号に合波する合波手段とを備えたことを特徴とする請求項４又は請求項５記載のＣＡＴＶ用増幅器。
【請求項７】
受信信号の周波数を上り帯域の周波数に変換する周波数変換手段を備えたことを特徴とする請求項６記載のＣＡＴＶ用増幅器。
【発明の詳細な説明】
【０００１】
【発明の属する技術分野】
本発明は、ＣＡＴＶ伝送網を利用してセンター局と携帯型受信端末との間で情報通信を行う方法と、その方法に使用されるＣＡＴＶ用増幅器とに関するものである。
【０００２】
【発明の開示】
ＣＡＴＶシステムでは、センター局と加入者端末との間にＣＡＴＶ伝送網を敷設し、この伝送網を使用してＣＡＴＶ信号やその他の信号を送受信している。
【０００３】
前記ＣＡＴＶ伝送網には、該伝送網上を伝送される信号のレベル低下を補うための増幅器が３００ｍ〜４００ｍ間隔で設置されている。これら増幅器の多くは電柱に共架され、道路に近い場所に設置されている。本件発明者は、これら増幅器からその設置場所付近の地域情報を発信可能とし、発信された情報を携帯型受信端末で受信可能とすれば、新たな情報通信システムを容易且つ低コストで構築できるとの知見を得た。
【０００４】
本発明は前記知見に基づくものであり、ＣＡＴＶ伝送網を利用してセンター局と携帯型受信端末との間での情報通信を可能としたものである。
【０００５】
本発明のＣＡＴＶ伝送網を利用した情報通信方法の一つは、ＣＡＴＶ伝送網を利用して各種情報を提供するための情報通信方法であって、下り空帯域を使って地域情報を含む信号をセンター局から伝送網上の増幅器に伝送する工程と、増幅器が受信信号を増幅し、増幅された受信信号の周波数を携帯型受信端末が受信可能な周波数に変換して空中へ送出する工程とを有するものである。
【０００６】
本発明のＣＡＴＶ伝送網を利用した情報通信方法の他の一つは、ＣＡＴＶ伝送網を利用して各種情報を提供するための情報通信方法であって、下り空き帯域を使って地域情報を含む信号をセンター局から伝送網上の増幅器に伝送する工程と、増幅器が受信信号を増幅し、増幅された受信信号の周波数を携帯型受信端末が受信可能な周波数に変換して空中へ送出する工程と、携帯型受信端末から空中へ送出された信号を増幅器で受信する工程と、増幅器が受信信号を増幅し、増幅された受信信号を上り空帯域を使ってセンター局へ伝送する工程とを有するものである。
【０００７】
本発明のＣＡＴＶ伝送網を利用した情報通信方法の他の一つは、増幅器が受信信号の周波数を上り帯域の周波数に変換する工程を有するものである。
【０００８】
本発明のＣＡＴＶ用増幅器の一つは、入力された下り信号の一部を分岐する分岐手段と、分岐された下り信号から所定周波数の信号を分波する分波手段と、分波された信号の周波数を携帯型受信端末が受信可能な周波数に変換する周波数変換手段と、周波数変換された信号を増幅する増幅手段と、増幅された信号を空中へ送出する送信手段とを備えたものである。
【０００９】
本発明のＣＡＴＶ用増幅器の他の一つは、分波手段が分波する信号の周波数を設定する周波数設定手段を有するものである。
【００１０】
本発明のＣＡＴＶ用増幅器の他の一つは、携帯型受信端末から送出された信号を受信可能な受信手段と、受信信号を上り信号に合波する合波手段とを備えたものである。
【００１１】
本発明のＣＡＴＶ用増幅器の他の一つは、受信信号の周波数を上り帯域の周波数に変換する周波数変換手段を備えたものである。
【００１２】
【発明の実施の形態】
（実施形態１）
以下、本発明のＣＡＴＶ伝送網を利用した情報通信方法及びＣＡＴＶ用増幅器の一実地例を図１、図２に基づいて説明する。図１は、該情報通信方法を実施可能なＣＡＴＶ伝送網の一例を示す説明図である。図２は、図１の伝送網上に設けられる双方向増幅器（本発明のＣＡＴＶ用増幅器）の一例を示すブロック図である。
【００１３】
図１に示すＣＡＴＶ伝送網は、センター局１と複数の加入者端末（図示しない）とが同軸ケーブルによって構築された伝送網２によって接続されている。さらに、伝送網２の途中には、該伝送網２上を伝送される信号（上り信号及び下り信号）のレベル低下を補完するための双方向増幅器３及び４が設置されている。
【００１４】
前記センター局１は、双方向増幅器３及び４の設置場所付近の地域情報を含む信号（以下「情報信号」）を生成し、これを下り伝送路に送出可能である。ここで、情報信号は下り帯域（７０ＭＨｚ〜７７０ＭＨｚ）の空帯域を使用して送出する。また、双方向増幅器３の設置場所付近の地域情報を含む情報信号と、双方向増幅器４の設置場所付近の地域情報を含む情報信号とはその周波数を異にして送出する。例えば、前者は６００ＭＨｚ、後者は６２０ＭＨｚで送出する。尚、地域情報の一例としては、双方向増幅器３又は４の近傍に存在する施設や商店の所在地、広告、宣伝等や、双方向増幅器３又は４が共架されている電柱が立っている道路の幅、横断歩道の位置等が考えられる。
【００１５】
前記双方向増幅器３及び４は図２に示すように、センター側入出力端子５と、端末側入出力端子６を備えた筐体内に必要機器を収容してなる。具体的には、センター側入出力端子５から入力された下り信号を増幅する２段の下り増幅部７、８と、端末側入出力端子６から入力された上り信号を増幅する２段の上り増幅部９、１０が収容されている。さらに、前記下り増幅部８から出力された下り信号の一部を分岐する分岐部１１と、分岐された下り信号から所定周波数の信号を分波する分波フィルタ１２と、分波された信号の周波数を図示されていない携帯型受信端末が受信可能な周波数に変換する周波数変換部１３と、周波数変換された信号を増幅する増幅部１４と、増幅された信号を空中へ送出する送信アンテナ１５も収容されている。尚、前記周波数変換部１３は、一定周波数の信号を出力する発振器１６と、発振器１６から出力された信号を前記分波フィルタ１２によって分波された信号に加算する加算部１７からなる。以上のように、図１に示す双方向増幅器３及び４は同一の回路構成を備えるが、双方向増幅器３が備える分波フィルタ１２の通過帯域と双方向増幅器４が備える分波フィルタ１２の通過帯域とは異なる。ここでは、前者を６００ＭＨｚ、後者を６２０ＭＨｚとしてある。
【００１６】
以上の構成を有するセンター局１と双方向増幅器３及び４を備えた図１のＣＡＴＶ伝送網２を利用して情報通信を行う場合は次のようにする。
（１）センター局１において、双方向増幅器３の設置場所付近の地域情報を含む情報信号Ａと、双方向増幅器４の設置場所付近の地域情報を含む情報信号Ｂを生成する。ここで、情報信号Ａ及びＢの周波数は下り空帯域の周波数であって、異なる周波数とする。ここでは、情報信号Ａの周波数を６００ＭＨｚ、情報信号Ｂの周波数を６２０ＭＨｚとした。
（２）生成された６００ＭＨｚの情報信号Ａ及び６２０ＭＨｚの情報信号Ｂを含む下り信号を下り伝送路に送出して、双方向増幅器３まで伝送する。
（３）下り信号が入力された双方向増幅器３は、入力された下り信号の一部を図２に示す分岐部１１で分岐し、分岐された下り信号から分波フィルタ１２によって６００ＭＨｚの情報信号Ａを取り出す。さらに、分波された情報信号Ａを図２に示す周波数変換部１３で携帯型受信端末が受信可能な所定周波数に変換し、増幅部１４で増幅した後に送信アンテナ１５から空中へ送出する。一方、分岐されなかった下り信号は端末側入出力端子６へ出力して後段の双方向増幅器４へ伝送する。以上によって、双方向増幅器３の近傍に居る人が所持している携帯型受信端末に、該増幅器３の設置場所付近の地域情報が提供される。
（４）双方向増幅器３から出力された下り信号が入力された双方向増幅器４は、入力された下り信号の一部を図２に示す分岐部１１で分岐し、分岐された下り信号から分波フィルタ１２によって６２０ＭＨｚの情報信号Ｂを取り出す。さらに、分波された情報信号Ｂを図２に示す周波数変換部１３で携帯型受信端末が受信可能な所定周波数に変換し、増幅部１４で増幅した後に送信アンテナ１５から空中へ送出する。以上によって、双方向増幅器４の近傍に居る人が所持している携帯型受信端末に、該増幅器４の設置場所付近の地域情報が提供される。分岐部１１で分岐されなかった下り信号は端末側入出力端子６に出力され、加入者端末まで伝送される。
【００１７】
（実施形態２）
図３に本発明のＣＡＴＶ増幅器の他の実施例を示す。図３に示す増幅器の基本構成は、前記図２に示す増幅器のそれと同一である。異なるのは、携帯型受信端末から空中へ送出された信号を受信可能な受信アンテナ１６と、受信アンテナ１６によって受信された信号を増幅する増幅部１７と、増幅部１７によって増幅された信号を端末側入出力端子６から入力された上り信号に合波させる合波部１８とが設けられていることである。
【００１８】
図１に示す双方向増幅器３及び４を図３に示すＣＡＴＶ用増幅器に代えると、次のような利点がある。夫々の携帯型受信端末に各端末を識別可能な識別信号を送出する機能を付加すれば、各携帯型受信端末から送出された識別信号が該受信端末の所在地近傍（最寄）の双方向増幅器３又は４が備える受信アンテナ１６によって受信される。さらに、受信された識別信号は、上り信号に合波されてセンター局１まで伝送される。従って、センター局１では、双方向増幅器３の近傍にある携帯型受信端末、及び双方向増幅器４の近傍にある携帯型受信端末とを検知することができる。即ち、携帯型受信端末の所持者の所在を検知することができる。図１に示すＣＡＴＶ伝送網２には双方向増幅器が２台のみしか設けられていないが、双方向増幅器が多数設けられた広範なＣＡＴＶ伝送網であれば、該伝送網の敷設エリア内における携帯型受信端末所持者の所在確認が可能である。例えば、ある市町村の全域にＣＡＴＶ伝送網が敷設され、その伝送網に一定間隔で図３に示す双方向増幅器を接続すれば、該市町村内における携帯型受信端末所持者の所在確認が可能となる。
【００１９】
尚、各携帯型受信端末から送出される識別信号の周波数がＣＡＴＶの上り帯域（５〜５０ＭＨｚ）外である場合は、前記周波数変換部を設けて識別信号の周波数を変換してから上り信号に合波する。
【００２０】
（他の実施形態）
前記実施形態１又は２では、双方向増幅器３及び４に通過可能帯域が固定の分波フィルタ１２を設けて所定の情報信号を取り出している。しかし、これら分波フィルタ１２を印加電圧に応じて通過帯域が変更される可変分波フィルタに代えると共に、それら可変分波フィルタに所定電圧を印加して通過可能帯域を設定する手段を設ける。かかる手段の一例としては、双方向増幅器３及び４が備えているステータスモニタから所定電圧を出力され、出力された電圧を可変分波フィルタに印加することが考えられる。
【００２１】
【発明の効果】
本発明のＣＡＴＶ伝送網を利用した情報通信方法及びそれに使用されるＣＡＴＶ用増幅器によれば、ＣＡＴＶ伝送網上の増幅器から情報を発信し、これを携帯型受信端末で受信することができる。従って、次のような効果がある。
（１）新たな伝送網を敷設することなく情報通信システムを容易且つ低コストで構築することができる。
（２）ＣＡＴＶ伝送網には３００ｍ〜４００ｍ間隔で増幅器が設置されるのが一般的なので、数百ｍ２の範囲毎に異なる情報を提供することができる。
（３）ＣＡＴＶ伝送網の増幅器は道路に沿って立てられている電柱に共架されることが多い。従って、このような増幅器から情報を発信すれば、該道路を通行している人に近隣の商店や地域の情報を提供することができる。また、目や耳の不自由な人に危険場所、歩道幅、横断歩道や歩道橋の場所を知らせることもできる。
【図面の簡単な説明】
【図１】本発明のＣＡＴＶ伝送網を利用した情報通信方法を実施可能なＣＡＴＶ伝送網の一例を示す図。
【図２】本発明のＣＡＴＶ用増幅器の一例を示す図。
【図３】本発明のＣＡＴＶ用増幅器の他例を示す図。
【符号の説明】
１　センター局
２　ＣＡＴＶ伝送網
３　双方向増幅器
４　双方向増幅器
５　センター側入出力端子
６　端末側入出力端子
７　下り増幅部
８　下り増幅部
９　上り増幅部
１０　上り増幅部
１１　分岐部
１２　分波フィルタ
１３　周波数変換部
１４　増幅部
１５　送信アンテナ
１６　受信アンテナ
１７　増幅部
１８　合波部
【図１】
2004023341.tif 000003
【図２】
2004023341.tif 000004
【図３】
2004023341.tif 000005